(57)【要約】      （修正有）【課題】吊下げ商品を整然と取外すことができる商品陳列器具の提供。【解決手段】水平方向に固定した商品の吊下げレール１の上方に、前記吊下げレールへ並列吊下した個別商品１３と、夫々個別に掛止できると共に、商品を動かすことのできる商品掛止片１１ａを前記吊下げレールに沿って移動可能に並列架設し、前記掛止片を連動できるように連結させたにより、目的を達成した。【選択図】図１
0003124840.tif 000002
【実用新案登録請求の範囲】
【請求項１】
水平方向に固定した商品の吊下げレールの上方に、前記吊下げレールへ並列吊下した個別商品と、夫々個別に掛止できると共に、商品を動かすことのできる商品掛止片を前記吊下げレールに沿って移動可能に並列架設し、前記掛止片を連動できるように連結させたことを特徴とする商品陳列器具。
【請求項２】
吊下げレールの基部に、該吊下げレールを支持杆へ嵌着固定する為の嵌着具を設置したことを特徴とする請求項１記載の商品陳列器具。
【請求項３】
掛止片は、ベルトコンベアの外側へ突設し、前記ベルトコンベアを、商品の吊下げレールの上方へ、平行かつ往復動自在に架設したことを特徴とする請求項１記載の商品陳列器具。
【請求項４】
嵌着具は、一側縦片を長くした下向コ状の枠であって、前記コ状の枠は、支持杆へ嵌着固定できる大きさとしたことを特徴とする請求項２記載の商品陳列器具。
【請求項５】
ベルトコンベアは、基部に嵌着具との固定具を備えた細長い杆体の先端部及び基端部に水平方向へ回転自在に架設したロールへ、無端ベルトを装着して構成したことを特徴とする請求項３記載の商品陳列器具。
【考案の詳細な説明】
【技術分野】
【０００１】
この考案は、吊下げレールに商品を吊下げ陳列する場合に、購買者が商品を取り外し易くすることを目的とした商品陳列器具に関する。
【背景技術】
【０００２】
従来商品吊下型陳列器具としては、吊下げレールに商品を吊下げているので、前方へ取出すと、残留商品が少なくなる程、吊下げレールの取出し端と、残留商品の位置とが遠くなるのが一般的であった。
【０００３】
そこで商品をスプリングで押すことにより、自動的に取外し側へ押えておくことにして、商品位置を常時取外し側に保持させておく工夫を付与した吊下げ具も提案されている。
【特許文献１】実用新案登録第２５７６９０２号
【特許文献２】実開昭５８−３１８６９
【特許文献３】特公表昭６３−５０２１６
【考案の開示】
【考案が解決しようとする課題】
【０００４】
前記従来の陳列器具は、単に商品レールを横架した構造が一般的であるが、この場合に商品は吊下げ位置を保っている為に、前面の商品を外しても、次位の商品は旧位置を保っている問題点があった。
【０００５】
また他の提案としては、吊下げ商品に、吊下げレールの先端側へ移動するように、スプリングで付勢した発明考案（引用文献１、２、３）が示されているが、スプリングを設ける為に巻き取り型バネを設置したり、コイルスプリングで常時吊下げ商品を押えている為に、不慮の外力によりロックが外れると、吊下げ商品が不用意に外れる問題点があった。
【課題を解決するための手段】
【０００６】
この考案は、吊下げ商品中先端部の商品を取外す操作に伴って、次位の商品が自動的に取外し位置まで前進するようにして、前記従来の問題点を解決したのである。
【０００７】
即ちこの考案は、水平方向に固定した商品の吊下げレールの上方に、前記吊下げレールへ並列吊下した個別商品と、夫々個別に掛止できると共に、商品を動かすことのできる商品掛止片を前記吊下げレールに沿って移動可能に並列架設し、前記掛止片を連動できるように連結させたことを特徴とする商品陳列器具であり、吊下げレールの基部に、該吊下げレールを支持杆へ嵌着固定する為の嵌着具を設置したものである。また、他の考案は、掛止片は、ベルトコンベアの外側へ突設し、前記ベルトコンベアを、商品の吊下げレールの上方へ、平行かつ往復動自在に架設したものであり、嵌着具は、一側縦片を長くした下向コ状の枠であって、前記コ状の枠は、支持杆へ嵌着固定できる大きさとしたものであり、ベルトコンベアは、基部に嵌着具との固定具を備えた細長い杆体の先端部及び基端部に水平方向へ回転自在に架設したロールへ、無端ベルトを装着したものである。
【０００８】
前記において、この考案は、商品取出し時に商品掛止片を移動することにより、次位の商品を取出し位置まで進めることができるので、円滑かつ合理的な商品陳列と取出しができる。
【考案の効果】
【０００９】
この考案は、商品掛止片を、各商品に掛止したので、取出すべき商品を前進させると、前記掛止片を介して次位の商品も前進させることができるので、吊下げ商品の多寡に拘らず、取出す商品は、常時吊下げレールの最先端に位置させ、容易に取出し得る効果がある。
【００１０】
前記商品の移動は、取出す者が行うので、移動量に過不足なく、正確に行なわれる効果もある。
【考案を実施するための最良の形態】
【００１１】
この考案は、商品の陳列予定位置へ商品の吊下げレールを水平に架設し、該吊下げレールの上方に、該吊下げレールと平行してベルトコンベアを移動自在に架設し、該ベルトコンベアには、前記吊下げ商品と夫々掛止できる掛止片を並列して突設する。前記ベルトコンベアは、基部に嵌着具との固定具を備えた細長い杆体の先端部及び基端部に水平方向へ回転自在に架設したロールへ無端ベルトを装着して、この考案の商品陳列器具を構成した。
【００１２】
前記細長い杆体の先端部には、プライスカードホルダーを固定してある。また、商品吊下げレールの先端部は鈍角に屈曲し、商品の自動脱抜を防止してある。従って、商品は購買者が意識的に動かさない限り意に反して取外されるおそれはない。
【実施例１】
【００１３】
この考案の実施例を図１、２について説明すると、商品吊下げレール１の基部に下向きコ状の嵌着具２を設け、前記吊下げレール１の先端部１ａは商品の脱抜を防止すべく鈍角に屈接する。
【００１４】
また細長い２本の杆体３、３の基部に、前記嵌着具２の頂部に嵌合する溝部４ａ、４ａを有する固定片４、４を斜設して固定部５とする。前記細長い２本の杆体３、３の基部及び先端部内側に、ロール６、６を軸７、７で回転可能に架設すると共に、前記軸７、７によって杆体３、３を固定して平行枠８を構成する。
【００１５】
前記平行枠８の先端部へプライスカードホルダー９を固定し、前記ロール６、６に掛止片１１ａ、１１ａ付ベルトコンベア１１を装着し、前記商品の吊下げレール１へ前記ベルトコンベア１１付の平行枠８を固定して、この考案の陳列器具１０を得た。図中１２はプライスカードである。
【００１６】
前記掛止片１１ａ、１１ａは、吊下げた商品１３、１３の吊下げ板１４、１４と夫々掛止できる長さ及び間隔で突設してある。
【００１７】
前記陳列器具１０は、吊下げレール１の嵌着具２を商品陳列予定場所の支持杆１５に嵌着固定し、吊下げレール１へ、商品１３、１３を順次吊下すれば、図２（ｃ）のように陳列される。
【００１８】
前記において、最外側の商品１３を取外すべく矢示１６の方向へ移動させると、各商品は各掛止片１１ａ、１１ａと、商品１３、１３の吊下げ板１４、１４との掛止により、矢示１６の方向へ移動する。
【００１９】
この場合に、上部の掛止片１１ａは矢示１７の方向へ移動する。従って、最先端の商品１３を移動して、吊下げレール１から外し終わると、前記掛止片１１ａは１ピッチだけ前進するので、各商品は１ピッチ前進したことになり、最先端の商品は、取外し位置に吊下げられている。
【００２０】
前記のように、商品１３は１つ取外す毎に次位の商品が取外し位置まで移動するので、最先端の商品は常時取外し位置にあって、購買者の便宜を図っている。前記各掛止片１１ａはベルトコンベア１１へ並列突設せられているので、常時同一相互間隔を維持しており、商品との掛止も常時一定であって、齟齬を生じるおそれはない。
【００２１】
前記ベルトコンベア１１は、掛止片１１ａを等間隔で移動させる為のものであるから、その形態（例えば帯状、紐状）に制約はない。また細長い杆体についても、ベルトコンベアを支持すれば足りる為、一本でロール６、６を片持ちし、又は実施例のように二本でも用いることができる。
【００２２】
また図３に示すように、板体１８に掛止片１８ａを突設し、板体１８を水平方向往復動できるように支持枠１９で支持しても同様である。図中２０は板体１８の脱抜を防ぐストッパーである。前記ストッパー２０は支持枠１９の溝２１に挿通しており、溝２１の終点２１ａに当接してストッパーとして働くようになっている。
【図面の簡単な説明】
【００２３】
【図１】（ａ）この考案の実施例の動作を示す概念図、（ｂ）同じくベルトコンベアの構成の分解斜視図。
【図２】（ａ）同じく吊下げレールと、ベルトコンベアの分解斜視図、（ｂ）同じく実施例の組立斜視図、（ｃ）同じく使用状態の斜視図。
【図３】（ａ）同じく掛止片取付け具の他の実施例の一部を省略した斜視図、（ｂ）同じく支持列を示す断面図、（ｃ）同じく支持枠の実施例の一部拡大斜視図。
【符号の説明】
【００２４】
１  吊下げレール
２  嵌着具
３  杆体
４  固定片
５  固定部
６  ロール
７  軸
８  平行杆
９  プライスカードホルダー
１０  陳列器具
１１  ベルトコンベア
１３  商品
１４  吊下げ板
１５  支持杆
１８  板体
１９  支持枠
【図１】
0003124840.tif 000003
【図２】
0003124840.tif 000004
【図３】
0003124840.tif 000005